(57)【要約】【課題】一般家庭や事務所等の閉空間部屋で使用される空気清浄機の集塵において、床面の堆積している塵埃の集塵効率を上げることを目的とする。【解決手段】居間、寝室などの閉空間部屋に設置される空気清浄機において、上吹出口２から吹き出した空気は、上気流Ａを作り、下吹出口３から吹き出した空気は、下気流Ｂを作る。床面１１で上気流Ａと下気流Ｂが衝突させることで、上昇気流Ｃを作り、前記床面１１の堆積している塵埃を舞い上げることができる。舞い上げた粉塵を含む空気を本体１内部の集塵フィルタ８を通して吸込み集塵することで、床面に堆積している塵埃の集塵効率を上げた空気清浄機を得られる。【選択図】図２
2015158300.tif 000002
【特許請求の範囲】
【請求項１】
本体に上吹出口、下吹出口、吸込口を設け、前記本体内に送風部と空気清浄部を設け、居間、寝室などの閉空間部屋に設置される空気清浄機において、前記本体は前記部屋の１つの壁面に対向して設置され、前記上吹出口から吹き出した空気は、前記壁面に向かって流れ、前記壁面に衝突した後、反転して床面に沿って前記本体に向かって流れ、前記下吹出口から吹き出す空気は、床面に沿って前記壁面に向かって流れ、前記上吹出口から吹き出して床面に沿って前記本体に向かって流れる空気に衝突して、衝突したところで空気の流れを床面に対して上方向にする「舞い上げモード」を有する空気清浄機。
【請求項２】
前記「舞い上げモード」では、前記上吹出口から吹き出す空気は、斜め上方向に向かって吹き出し、前記下吹出口から吹き出す空気は、斜め下方向に向かって吹き出す請求項１に記載の空気清浄機。
【請求項３】
前記「舞い上げモード」では、前記上吹出口から吹き出す空気の風量は、前記下吹出口から吹き出す空気の風量よりも大きくする請求項１に記載の空気清浄機。
【請求項４】
前記「舞い上げモード」終了後、上下どちらかの吹出口からの送風を中止して、舞い上げた塵埃を吸込む空気清浄運転を行う請求項１に記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、吹出口から噴出した空気流により塵埃を空気中に舞い上げて、本体に設けられた吸気口より吸気して集塵手段で集塵するものが知られている（例えば、文献１参照）。
【０００３】
以下、その空気清浄機について図を参照しながら説明する。
【０００４】
図３に示すように、従来の空気清浄機１０１は、吸気口１０２と、吹出口１０３、前記吸気口１０２の空気清浄機１０１本体内に集塵フィルタ１０４、さらにファンモータ１０５を備え、吹出口１０３から噴出させた空気流で塵埃を舞い上げる構成としたものである。舞い上がった塵埃は空気清浄機１０１本体に設けられた吸気口１０２より吸気して集塵フィルタ１０４で集塵する。
【０００５】
また、この種の空気清浄機には位置検知手段を用いて、複数台で各々の吹き出した空気流を衝突させているものもある（例えば、文献２参照）。
【０００６】
以下、その空気清浄機について図を参照しながら説明する。
【０００７】
図４に示すように、空気清浄機２０１と空気清浄機３０１とを吹き出し側を対向させて配置する。空気清浄機２０１は、吸気口２０２、吹出口２０３と、内部に集塵フィルタ２０４、ファンモータ２０５を備えている。空気清浄機２０１と、空気清浄機３０１本体は、同じ構成である（吸気口３０２、吹出口３０３、集塵フィルタ３０４、ファンモータ３０５）。対向させた空気清浄機２０１と空気清浄機３０１は、吹出口２０３、３０３から吹き出した空気流を衝突させるように配置されている。すなわち、吹出口２０３、３０３から噴出させた空気流を衝突させて、床面に堆積した塵埃を舞い上げるものである。舞い上がった塵埃は、空気清浄機２０１、空気清浄機３０１に設けられた吸気口２０２、３０２より吸気して集塵フィルタ２０４、３０４で捕集する。
【先行技術文献】
【特許文献】
【０００８】
【特許文献１】特開２００３−０７９５４０号公報
【特許文献２】特開２０１０−２４９４４６号公報
【発明の概要】
【発明が解決しようとする課題】
【０００９】
このような従来の空気清浄機１０１においては、空気の流れが床面に対して水平方向であるため、床面に堆積している塵埃を効率よく舞い上げるような気流状態を作り上げることはできないという課題がある。
【００１０】
また、空気清浄機２０１、３０１においては、空気の流れを床面に対して上方向にするために、複数台の空気清浄機２０１、３０１を用いて対向する空気流を作り出している。そのため、１台では床面の堆積している塵埃を効率よく舞い上げるような気流状態を作り上げることはできないという課題がある。
【００１１】
そこで本発明は、上記従来の課題を解決するものであり、１台で床面の堆積している塵埃を高効率に舞い上げるような気流状態を作り上げるために、空気の流れを床面に対して上方向にする空気清浄機を提供することを目的とする。
【課題を解決するための手段】
【００１２】
そして、この目的の達成するために、本発明の空気清浄機は、本体に上吹出口、下吹出口、吸込口を設け、前記本体内に送風部と空気清浄部を設け、居間、寝室などの閉空間部屋に設置される空気清浄機において、前記本体は前記部屋の１つの壁面に対向して設置され、前記上吹出口から吹き出した空気は、前記壁面に向かって流れ、前記壁面に衝突した後、反転して床面に沿って前記本体に向かって流れ、前記下吹出口から吹き出す空気は、床面に沿って前記壁面に向かって流れ、前記上吹出口から吹き出して床面に沿って前記本体に向かって流れる空気に衝突して、衝突したところで空気の流れを床面に対して上方向にする「舞い上げモード」を有するものであり、これにより所期の目的を達成するものである。
【発明の効果】
【００１３】
本発明によれば、上吹出口から吹き出した空気と、下吹出口から吹き出した空気を床面で衝突させるという構成にしたことにより、床面の堆積している塵埃を舞い上げることができるので、床面の堆積している塵埃の集塵効率を上げる効果を得ることができる。
【図面の簡単な説明】
【００１４】
【図１】本発明の実施の形態１の空気清浄機の構造図
【図２】同「舞い上げモード」での閉空間の空気の流れを示す空気流図
【図３】従来の空気清浄機の構造図
【図４】同位置検知手段を用いて複数台での集塵の構成図
【発明を実施するための形態】
【００１５】
本発明の請求項１記載の空気清浄機は、本体に上吹出口、下吹出口、吸込口を設け、前記本体内に空気清浄部と送風部を設け、居間、寝室などの閉空間部屋に設置される空気清浄機において、前記本体は前記部屋の１つの壁面に対向して設置され、前記上吹出口から吹き出した空気は、前記壁面に向かって流れ、前記壁面に衝突した後、反転して床面に沿って流れ、前記下吹出口から吹き出す空気は、前記上吹出口から吹き出して床面に沿って流れる空気に衝突させるようにする「舞い上げモード」を有する。これにより、床面の堆積している塵埃を舞い上げることができるので、床面の堆積している塵埃の集塵効率を上げる効果を奏する。
【００１６】
また、前記「舞い上げモード」では、前記上吹出口から吹き出す空気は、斜め上方向に向かって吹き出し、前記下吹出口から吹き出す空気は、斜め下方向に向かって吹き出すという構成にしてもよい。これにより、効率的に空気を循環させることができるので、衝突する空気量を増やす効果を奏する。
【００１７】
また、前記「舞い上げモード」では、前記上吹出口から吹き出す空気の風量は、前記下吹出口から吹き出す空気の風量よりも大きくするという構成にしてもよい。これにより、効率的に空気流を床面で衝突させることができるので、床面で衝突する空気量を増やす効果を奏する。
【００１８】
以下本発明の実施の形態について図面を参照しながら説明する。
【００１９】
（実施の形態１）
図１に示すように、本実施の形態の空気清浄機５０は、本体１に上吹出口２、下吹出口３、吸込口６を設け、本体１内部に上ファンモータ４、下ファンモータ５、集塵フィルタ８を備えている。この空気清浄機５０は、上吹出口２および下吹出口３から空気を吹き出し、吸込口６から集塵フィルタ８を通して空気を吸込むことにより、空気中の塵埃が集塵するものである。
【００２０】
ここで、本実施の形態でもっとも特徴的な部分について説明する。図２に示すように、この空気清浄機５０の配置は、室内の壁面１０に対向して、好ましくは正対させて配置する。そして、上吹出口２および下吹出口３から空気を吹き出す「舞い上げモード」を有している。「舞い上げモード」では、上吹出口２から吹き出す空気は、斜め上方向に向かって吹き出す上気流Ａとなる。一方、下吹出口３から吹き出す空気は、斜め下方向に向かって吹き出す下気流Ｂとなる。
【００２１】
上吹出口２から吹き出した空気（上気流Ａ）は、壁面１０の上方に向かって流れ、壁面１０に衝突する。壁面１０に衝突した上気流Ａの一部（あるいは全部）は、壁面１０に沿って下方向、すなわち、床面１１に向けて流れる。そして、床面１１に衝突した後、床面１１に沿って本体１に向かって流れることになる。
【００２２】
一方、下吹出口３から吹き出した空気（下気流Ｂ）は、床面１１に衝突した後、床面１１に沿って壁面１０に向かって流れることになる。
【００２３】
このように、上気流Ａと下気流Ｂは、床面１１に沿って対向する流れになり、衝突することになる。衝突した上気流Ａと下気流Ｂは、上方に流れを変えることになる。床面１１に堆積した塵埃は、この上方に向かって流れる気流（上昇気流Ｃ）に乗って舞い上がるのである。
【００２４】
そして、舞い上げた塵埃は、吸込口６に吸込まれる空気と共に本体１内部に吸込まれ、集塵フィルタ８によって集塵される。
【００２５】
また、「舞い上げモード」では、上吹出口２から吹き出す空気（上気流Ａ）の風量は、下吹出口３から吹き出す空気（下気流Ｂ）の風量よりも大きくするとよい。上述のとおり、上気流Ａは、対向する壁面１０に衝突した後、床面１１に沿って流れ、下気流Ｂは、下吹出口３から吹き出した直後に床面１１に沿って流れる。そのため、上気流Ａと下気流Ｂの衝突位置までの経路は、上気流Ａの経路のほうが、下気流Ｂの経路よりも長くなる。すなわち、上気流Ａと下気流Ｂを床面１１の直上で衝突させるには、上吹出口２から吹き出す空気（上気流Ａ）の風量を下吹出口３から吹き出す空気（下気流Ｂ）の風量よりも大きくすることで可能になる。
【００２６】
また、上気流Ａと下気流Ｂの風量割合を変更することで、床面１１における上気流Ａと下気流Ｂの衝突位置を変えることができる。すなわち、上気流Ａと下気流Ｂの衝突位置は、吹き出した風速が減衰して、上気流Ａと下気流Ｂの風速が同等になった場所で衝突することになる。従って、下気流Ｂを（上気流Ａに対して）多く吹き出すと、上気流Ａと下気流Ｂの衝突位置は、本体１から遠ざかり、下気流Ｂを（上気流Ａに対して）少なくすると、上気流Ａと下気流Ｂの衝突位置は、本体１に近づくことになる。
【００２７】
また、任意の時間（例えば１時間）経過後、「舞い上げモード」を終了し、上下どちらかの吹出口からの送風を中止して、舞い上げた塵埃を吸込む空気清浄運転を行うことにするとよい。上下どちらかの吹出口からの送風により、床面１１で空気が衝突せずに、本体１に向かって流れるため、本体１内部に吸込まれる空気量が増える。それにより、効率的に室内に浮遊している塵埃を集塵することができる。
【産業上の利用可能性】
【００２８】
本発明にかかる空気清浄機は、床面の堆積している塵埃を舞い上げることで、床面の堆積している塵埃の集塵効率を上げることを可能とするものであるので、一般家庭や事務所等で使用される空気清浄機等として有効である。
【符号の説明】
【００２９】
１  本体
２  上吹出口
３  下吹出口
４  上ファンモータ（送風手段）
５  下ファンモータ（送風手段）
６  吸込口
８  集塵フィルタ
５０  空気清浄機
１０  壁面
１１  床面
１０１  空気清浄機
１０２  吸気口
１０３  吹出口
１０４  集塵フィルタ
１０５  ファンモータ
【図１】
2015158300.tif 000003
【図２】
2015158300.tif 000004
【図３】
2015158300.tif 000005
【図４】
2015158300.tif 000006